(57)【特許請求の範囲】
【請求項１】
放送局の信号を段階的に遅らせた信号と、放送波を受信復調した信号との差をフレーム毎に求め、該求めた差が予め定めた許容範囲内になったとき、前記放送局の信号の放送が開始されたと判定するとともに、前記放送局の信号と前記放送波との時間差を測定し、該測定して得られた時間差だけ前記放送局の信号を遅らせ、該遅らせた信号と前記放送波を受信復調した信号との差を求め、該求めた差が予め定めた許容範囲を越えたとき、前記放送局の信号の放送が終了したと判定するように構成したことを特徴とする放送内容監視装置。
【発明の詳細な説明】
【０００１】
【発明の属する技術分野】
本発明は、放送システムに係り、特に、中継回線を介して放送を行う際、自局の放送開始、終了、および放送中の放送内容を監視するのに、放送波を受信したモニタ画面を常時人間系で監視していなくても、装置系のみで放送内容監視信号を出力することを可能とする放送内容監視装置に関する。
【０００２】
【従来の技術】
従来、中継回線を介して放送を行う際、自局の放送開始、終了、および放送中の放送内容を監視するには、例えば、実際に放送波を受信してモニタ画面に映し出し、その映像と自局から中継回線に送出している映像とを目視によって比較し、自局の信号が放送開始されたこと、および放送終了したことを確認する方法が採られている．
【０００３】
この方法を図１７を用いて説明する。
従来技術における自局放送の開始、終了を確認する方法を概念的に示している。
なお、図１７においては、放送システムが放送局に関わる設備、キー局、中継回線、および番組配信回線から構成され、簡単のために放送局が３局とキー局が１局の場合を示している。
図１７において、放送局ａ２７に設けられた信号切替器２６は必要に応じて、例えば、ＶＴＲ２０、静止画装置２２、スタジオ２４の出力信号、中継車（図示せず）から受信した信号などを選択して中継回線２８に接続する。また、信号切替器２６はＶＴＲ２０の出力信号が選択されて中継回線２８に接続されている時には放送中表示灯ａ２１を、静止画装置２２の出力信号が選択されている時には放送中表示灯ｂ２３を、スタジオ２４の出力信号が選択されている時には放送中表示灯ｃ２５をそれぞれ点灯させる機能を有している。
【０００４】
中継回線２８は、放送局ａ２７の信号切替器２６の出力信号をキー局２９に伝送する。キー局２９においては番組送出データに従って、あるいは手動操作によって適切なタイミングで、放送局ａ２７からの信号、他の放送局から別の中継回線によって伝送されてきた信号、あるいは自局の出力信号、例えば、ＶＴＲ（図示せず）などの切替を行う。
【０００５】
さらに、キー局２９の出力信号は、番組配信回線ａ３０を介して放送局ａ２７に、番組配信回線ｂ３８を介して放送局ｂ３９に、また番組配信回線ｃ４０を介して放送局ｃ４１にそれぞれ伝送される。放送局ａ２７を例にして説明すると、番組配信回線ａ３０の信号は、まず、操縦装置３１に入力される。操縦装置３１は、例えば、中継車から受信した信号や番組配信回線ａ３０からの出力信号などを番組送出データに従って、あるいは手動操作によって適切なタイミングで切り替え、放送所用中継回線３２を用いて放送所３３に伝送する。
【０００６】
放送所３３は、放送所用中継回線３２によって伝送された信号を用いて搬送波を変調して放送波とし、送信アンテナ３４から一般の受信世帯に向けて送信する。また、放送局ａ２７は、この放送波を受信する受信アンテナ３５に接続された放送波受信機３６を備えており、その出力は局内モニタ３７に接続され、必要に応じて放送波の映像、音声を監視できるようになっている。番組配信回線ｂ３８と放送局ｂ３９、また番組配信回線ｃ４０と放送局ｃ４１なども同様の関係にある。
なお、受信アンテナ３５、放送波受信機３６、および局内モニタ３７の組み合わせは、一般の受信世帯のアンテナと受像機の組み合わせと同じ動作をするものである。
【０００７】
いま、例えば、放送局ａ２７のスタジオ２４の出力を全国に放送する場合には、まず信号切替器２６によってスタジオ２４の出力を選択し、中継回線２８に接続してキー局２９に伝送する。そして、キー局２９は中継回線２８の出力を番組配信回線ａ３０、番組配信回線ｂ３８、番組配信回線ｃ４０を用いて全国各地の放送局、すなわち放送局ａ２７、放送局ｂ３９、放送局ｃ４１に伝送する。さらに、放送局ａ２７、放送局ｂ３９、放送局ｃ４１は、操縦装置（放送局ｂ３９、放送局ｃ４１については図示せず）によって番組配信回線ａ３０、番組配信回線ｂ３８、番組配信回線ｃ４０の出力をそれぞれの放送局がもつ放送所用中継回線に接続し、それぞれの放送所に伝送する。
【０００８】
いま、中継回線２８によって発生する入出力信号間の時間差をｔd1、番組配信回線ａ３０、番組配信回線ｂ３８、番組配信回線ｃ４０によるそれぞれの入出力信号間の時間差をｔd2、放送所３３の入力信号とその信号によって搬送波を変調して実際に放送波とした信号との間の時間差をｔd3、放送波を受信し、放送波受信機３６が復調を行い、局内モニタ３７に出力する間に発生する時間差をｔd4とする。
【０００９】
ところで、信号切替器２６はスタジオ２４の出力を選択した時点で放送中表示灯ｃ２５を点灯させる点灯させる機能を有している。しかし、一般に、キー局２９が放送局ａ２７の信号を番組配信回線ａ３０、番組配信回線ｂ３８、および番組配信回線ｃ４０に接続する時刻は、信号切替器２６によってスタジオ２４の出力が選択される時刻とは異なっている。
【００１０】
図１８は、上記の信号それぞれについて、あるいは表示灯や局内モニタの動作するタイミングを示している。
図１８において、（ａ）は放送局ａ２７のスタジオ２４の出力信号、（ｂ）は信号切替器２６の動作、（ｃ）はスタジオ２４の放送中表示灯ｃ２５の動作、（ｄ）は中継回線２８の出力信号、（ｅ）はキー局２９の出力信号、（ｆ）は番組配信回線ａ３０の出力信号、（ｇ）は放送波の内容、（ｈ）は局内モニタ３７の表示、および（ｉ）は放送局ａ２７の出力が放送される時間をそれぞれ示している。
【００１１】
図１８中の時間差ｔd1，ｔd2，ｔd3およびｔd4は、それぞれ前述の時間差ｔd1からｔd4までの定義に一致させて示している。
なお、時間差ｔd3は主として放送機の符号化方式や変調方式に依存し、また、時間差ｔd4は放送波受信機の復調方式に依存する。さらに、これらの時間差ｔd1，ｔd2，ｔd3およびｔd4は、一般にそれぞれ異なる数値である。また、実際の系では、スタジオ２４の出力と中継回線２８の入力との間、キー局２９の入出力間、番組配信回線ａ３０の出力と放送所３３の入力との問にも時間差が発生するが、これらの時間差はいずれもｔd1，ｔd2，ｔd3およびｔd4に比較して小さいのでここでは無視する。
【００１２】
図１８において、放送局ａ２７のスタジオ２４の出力を、例えば、カット０乃至カット５の６カットとし、これらのカットが変わる時刻をそれぞれｔ1 ，ｔ2 ，ｔ3 ，ｔ4 ，ｔ5 とする（図１８（ａ）参照）。なお、カット０とカット５は中継回線２８には送出するが、実際の放送には使用しない、いわゆる捨てカットである。 また、信号切替器２６によってスタジオ２４の出力を中継回線２８に接続する時刻を、例えば、カット０の途中のｔon、接続を解除する時刻をカット５の途中のｔoff とする（図１８（ｂ）参照）と、スタジオ２４の放送中表示灯ｃ２５は信号切替器２６の動作に連動しているので、時刻ｔonまで消灯しており、時刻ｔonから時刻ｔoff まで点灯し、時刻ｔoff 以降消灯する（図１８（ｃ）参照）。一方、中継回線２８の出力は時間差ｔd1により、
ｔ10＝ｔon＋ｔd1 （１）
において、出力なしの状態からカット０に切り替わり、
ｔ11＝ｔoff ＋ｔd1 （２）
において、カット５から出力なしの状態に変化する（図１８（ｄ）参照）。
【００１３】
次に、キー局２９は、例えば、最初は他局の信号を送出しており、中継回線２８の出力がカット１に変化した時刻ｔ6 に中継回線２８の出力に切り替え、カット４の途中の時刻ｔ7 において再び他局の信号に切り替えるものとする（図１８（ｅ）参照）。ここで、時刻ｔ6 は
ｔ6 ＝ｔ1 ＋ｔd1 （３）
によって求められる。
【００１４】
ここで、番組配信回線ａ３０の入出力間の時間差ｔd2を考慮すると、番組配信回線ａ３０の出力が他局の信号から放送局ａ２７のスタジオ２４の出力に切り替わるのは
ｔ12＝ｔ6 ＋ｔd2＝ｔ1 ＋ｔd1＋ｔd2 （４）
で求められる時刻ｔ12であり（図１８（ｆ）参照）、放送局ａ２７のスタジオ２４の出力から他局の信号に切り替わるのは
ｔ13＝ｔ7 ＋ｔd2                                    （５）
で求められる時刻ｔ13である（図１８（ｆ）参照）。
【００１５】
さらに、放送所３３での時間差ｔd3、および放送波受信機３６での時間差ｔd4を考慮すると、時刻ｔ1 において放送局ａ２７がスタジオ２４の出力をカット１に切り替えたとき、放送局ａ２７の局内モニタ３７の表示がカット１に切り替わるのは、（６）式で求められる時刻ｔ8 である（図１８（ｈ），（ｉ）参照）。
ｔ8 ＝ｔ1 ＋ｔd1＋ｔd2＋ｔd3＋ｔd4 （６）
また、時刻ｔ7 においてキー局が放送局ａ２７のスタジオ２４の出力から他局の信号に切り替えても、放送局ａ２７の局内モニタ３７の表示が他局の信号に切り替わるのは（７）で求められる時刻ｔ9 である（図１８（ｈ），（ｉ）参照）。
ｔ9 ＝ｔ7 ＋ｔd2＋ｔd3＋ｔd4 （７）
【００１６】
以上のように、
ｔ8 ≠ｔon                                               （８）
また、
ｔ9 ≠ｔoff                                               （９）
であるから、放送中表示灯ｃ２５の点灯をもって、スタジオ２４の出力が全国に放送されている時間を知ることはできない。また、放送局ａ２７がスタジオ２４の出力を切り替えても、実際には、（１０）式の時間差ｔd10 経過後に局内モニタ３７の表示が切り替わる。
ｔd10 ＝ｔd1＋ｔd2＋ｔd3＋ｔd4                           （１０）
さらに、キー局２９が放送局ａ２７のスタジオ２４の出力から他局の信号に切り替えたときも同様に、（１１）式の時間差ｔd11 経過後に局内モニタ３７の表示が切り替わる。
ｔd11 ＝ｔd2＋ｔd3＋ｔd4                                 （１１）
【００１７】
これらの時間関係は放送局ａ２７と受信世帯の間にも当てはまる。通常、このような場合にはキー局２９と放送局２７の間に設けられた直通連絡線、あるいは携帯電話などによって切替タイミングを知らせている。
しかし、放送局ａ２７のスタジオ２４以外の場所から、例えば、中継車を用いる場合には、このような連絡手段がとれないことがある。また、連絡手段が確保できている場合でも確実に運用するためには放送中表示灯ｃ２５や直通連絡線、携帯電話のみに頼ることなく、局内モニタ３７を用いて常に人間系で監視し、放送波の内容が放送局ａ２７のスタジオ２４の出力に切り替わったこと、および他局の信号に切り替わったことを目視によって確認するという方法が用いられている。しかし、この方法では、人的労力が大変で、放送事故のもとにもなりかねなかった。
【００１８】
【発明が解決しようとする課題】
以上説明したように、放送局からの信号を中継回線によって一旦キー局に伝送し、キー局からその信号を番組配信回線によって他の放送局に送り、放送波として一般の受信世帯に向けて送信する際には、放送内容の監視に関し、以下の第１から第３までの問題点があった。
第１の問題点は、キー局が間に入るので放送局ａの信号切替器の出力がそのまま放送波として送信されることにはならず、放送中表示灯が点灯している時間と放送局ａの出力が放送されている時間が同一にならないことである。また、放送局ａの信号切替器の出力がキー局での切替操作なしに、そのまま放送波として送信される場合でも上述した時間差があるため、放送局ａが信号切替器を操作する時刻と局内モニタの表示が変わる時刻は一致しない。従って、放送局ａ側では、放送内容の監視を行う際に切り替わるタイミングが分からず、常に画像を注視していなければならない。
【００１９】
第２の問題点は、中継回線、番組配信回線、放送所、および放送波受信機がそれぞれ入出力間の時間差をもっているため、放送局ａの出力と実際の放送波を受信した局内モニタの出力が時間差をもつことになる。このため、放送局ａでは互いに時間差をもつ放送内容を監視しなければならず、時間差が大きくなればなるほど放送内容の監視が困難になることである。
【００２０】
第３の問題点は、例えば、局外の中継車からの信号を放送局ａで受信し、その信号を中継回線によってキー局に伝送して放送を行う場合、キー局から中継車の音声のみを取り除いた送り返し音声、いわゆるＮ−１を上記中継車が常時受け取れるとは限らないことである。一般に、このような場合には放送波の音声をモニタすることになるが、現場の音声も入っているため、アナウンサーがイアホンで自分の声を聴きながら話すことになって、アナウンスをすることが非常に困難になるか、あるいは放送波のモニタ音声がマイクに回り込んでハウリングを起こす可能性がある。
【００２１】
本発明の目的は、上述した問題点を解決し、放送局の局内モニタを常時注視しなくても、自局の出力が放送波の内容として送信されていることを監視することを可能とし、また、放送波から自局の音声を取り除いたＮ−１の送り返し音声を生成することを可能とする放送内容監視装置および送り返し音声生成装置を提供することにある。
【００２２】
【課題を解決するための手段】
上記目的を達成するため、本発明放送内容監視装置は、放送局の信号を段階的に遅らせた信号と、放送波を受信復調した信号との差をフレーム毎に求め、該求めた差が予め定めた許容範囲内になったとき、前記放送局の信号の放送が開始されたと判定するとともに、前記放送局の信号と前記放送波との時間差を測定し、該測定して得られた時間差だけ前記放送局の信号を遅らせ、該遅らせた信号と前記放送波を受信復調した信号との差を求め、該求めた差が予め定めた許容範囲を越えたとき、前記放送局の信号の放送が終了したと判定するように構成したことを特徴とするものである。
【００２６】
【発明の実施の形態】
以下に添付図面を参照し、発明の実施の形態に基づいて本発明を詳細に説明する。
上述したように、本発明放送内容監視装置は、従来技術の項で説明した図１７中の放送局ａ２７において信号切替器２６が中継回線２８に自局の信号を接続した時刻以降に以下の処理を行うように構成したものである。
【００２７】
すなわち、まず、放送局ａ２７（符号については、図１７を参照されたい）の信号切替器２６の出力信号に遅れ方向の時間差を与えて放送波受信機３６の出力信号と比較し、同一の信号であると判断したときに自局の信号が放送波として出力されたという情報を取り出す。その後、信号切替器２６の出力信号をフレーム単位の時系列で観測し、フレーム間で大きな変化が検出されたときに、そのフレームの信号と検出時刻を記憶手段に前以って記憶しておく。そして、その時刻以降に、放送波受信機３６の出力信号から上記のフレームの信号と同−の信号が検出されたとき、そのフレームの信号と検出時刻を記憶する。その新たに記憶した時刻から上述の前以って記憶しておいた時刻を減算し、新たな時間差を得る。
【００２８】
その後は、信号切替器２６の出力信号を新たな時間差だけ遅らせた信号と放送波受信機３６の出力信号とを比較し、両者が同一の信号であるかの判断を繰り返し、同一でないことを検出した時刻において、自局の信号が放送波に出ていないと判断し、その判断した情報を取り出す。信号切替器２６が自局の信号を中継回線２８から切断した場合には、上記の動作を停止する。
【００２９】
図１は、本発明放送内容監視装置の原理構成をブロック図にて示している。
図１において、１はＡ／Ｄ変換器、２は画像メモリａ、３は信号蓄積手段、４は信号比較手段、５は判定手段、６は制御・処理手段、７は受信アンテナ、８は放送波受信機、９はＡ／Ｄ変換器、および１０は画像メモリｂである。
【００３０】
次に、動作について説明する。
図１７に示す放送局ａ２７の信号切替器２６の映像出力信号は、図１のＡ／Ｄ変換器１によってデジタル信号に変換され、画像メモリａ２に入力される。この画像メモリａ２は複数フレームのデータを記憶することができるものである。画像メモリａ２の出力は２分岐され、一方は信号蓄積手段３を介して信号比較手段４に入力され、他方は信号比較手段４に直接入力される。
【００３１】
放送局ａ２７（図１７参照）の放送波は、図１に示す受信アンテナ７に接続された放送波受信機８によって復調され、映像信号が出力される。この映像信号はＡ／Ｄ変換器９によってデジタル信号に変換され、画像メモリｂ１０に入力される。画像メモリｂ１０は、画像メモリａ２と同様に複数フレームのデータを記憶することができる。画像メモリｂ１０の出力は信号比較手段４に入力される。
【００３２】
信号比較手段４の出力は判定手段５によって判定処理に用いられる。判定手段５はこれから放送内容監視信号を取り出すことができる。また、放送局ａ２７の信号切替器２６の放送中情報は制御・処理手段６に入力される。制御・処理手段６は、画像メモリａ２、画像メモリｂ１０、信号蓄積手段３、信号比較手段４、判定手段５のそれぞれに接続されており、データの受け渡し、そのデータに基づいた演算、および演算結果の受け渡し、放送内容監視信号の出力など装置全体の制御を行う。
【００３３】
さらに、図１の回路動作を、フローチャートを用いて詳細に説明する。
図２乃至図６は、本発明放送内容監視装置の動作をフローチャートで示している。
まず、図２を参照して説明する。
フローチャートがＳＴＡＲＴしてまず最初に、放送局ａ２７（図１７参照）から中継回線に対して信号が送り出されているかどうかを判断するために、放送局ａ２７の信号切替器２６（図１７参照）から放送中情報が出力されているかどうかを制御・処理手段６によって判断する（ステップＳＴ１）。出力されていなければステップＳＴ１を繰り返す。出力されていれば、信号蓄積手段３に入出力間時間差の初期値ｔdo1を与える（ステップＳＴ２）。次に、信号比較手段４に許容誤差の初期値ｅ01を与える（ステップＳＴ３）。
【００３４】
次に、放送局ａ２７の信号切替器２６の出力をＡ／Ｄ変換器１を用いてＡ／Ｄ変換する（ステップＳＴ４）。Ａ／Ｄ変換されたデジタルデータを画像メモリａ２に時系列で保存する（ステップＳＴ５）。保存されるデータ量は複数のフレーム分に相当する。さらに、この画像メモリａ２のデータに対して信号蓄積手段３によってｔd01 の時間差を与える（ステップＳＴ６）。ステップＳＴ４乃至ステップＳＴ６の処理と並行して、放送波受信機８の出力をＡ／Ｄ変換器９を用いてＡ／Ｄ変換する（ステップＳＴ７）。Ａ／Ｄ変換されたデジタルデータを画像メモリｂ１０に時系列で保存する（ステップＳＴ８）。画像メモリａ２と同様に、画像メモリｂ１０に保存されるデータ量は複数のフレーム分に相当する。
【００３５】
以下、図３を参照して説明する。
ステップＳＴ６およびステップＳＴ８の終了後、信号蓄積手段３の出力データと画像メモリｂ１０の出力データを、信号比較手段４に入力する（ステップＳＴ９）。信号比較手段４は両者のデータを用いて１フレームの画面上において同一画素位置に相当するデータの比較を行い、その差が許容誤差ｅ01以下であるかどうかを判断する（ステップＳＴ１０）。許容誤差ｅ01を越える場合は、上記ステップＳＴ４およびステップＳＴ７に戻って上述の処理を繰り返す。この際、ｔd01 の値を更新する（ステップＳＴ１０−１（図２参照））。
【００３６】
許容誤差ｅ01以下である場合は、放送局ａ２７の信号切替器２６から放送中情報が出力されているかどうかを制御・処理手段６が判断する（ステップＳＴ１１）。放送中情報が出力されていれば、判定手段５は放送内容が一致していることを示す放送内容監視信号を出力する（ステップＳＴ１２）。さらにこのとき、画像メモリｂ１０が画像を取り込んだ時刻ｔ30から画像メモリａ2 が画像を取り込んだ時刻ｔ36を減算し、その値でｔd01 を更新する（ステップＳＴ１２−１）。放送中情報が出力されていなければ最初のステップＳＴ１に戻るように制御・処理手段６が動作する。
【００３７】
以下、図４を参照して説明する。
ステップＳＴ１２−１の終了後、Ａ／Ｄ変換器１は放送局ａ２７の信号切替器２６の出力をＡ／Ｄ変換する（ステップＳＴ１３）。Ａ／Ｄ変換されたデジタルデータを画像メモリａ２に時系列で保存する（ステップＳＴ１４）。信号比較手段４と制御・処理手段６は、画像メモリａ２の出力においてフレーム間で大きな変化が生じたことを検出した場合、すなわち、フレーム間のデータの差が許容値ｅ11を越えた場合に、その時刻ｔ31を求める（ステップＳＴ１５）。この許容値ｅ11は、制御・処理手段６が予め信号比較手段４に与えておいた値である。その後、制御・処理手段６は信号比較手段４に許容誤差ｅ03を与える（ステップＳＴ１６）。ステップＳＴ１３乃至ステップＳＴ１６の処理と並行して放送波受信機８の出力をＡ／Ｄ変換器９によってＡ／Ｄ変換する（ステップＳＴ１７）。次に、Ａ／Ｄ変換されたデジタルデータを画像メモリｂ １０に時系列で保存する（ステップＳＴ１８）。
【００３８】
以下、図５を参照して説明する。
ステップＳＴ１６およびステップＳＴ１８の終了後、ステップＳＴ１５で求めたｔ31における画像メモリａ２のデータとｔ31以降の画像メモリｂ１０のデータを信号比較手段４に入力する（ステツプＳＴ１９）。信号比較手段４は両者のデータから１フレームの画面上において同一画素位置に相当するデータの比較を行い、これらの差が許容誤差ｅ03以下であるかどうかを判断する（ステップＳＴ２０）。差が許容誤差ｅ03を越える場合は、ステップＳＴ１７に戻って時刻ｔ31において画像メモリａ２に保存したデータと時刻ｔ31以降の画像メモリｂ１０のデータを比較する処理を繰り返す。
【００３９】
他方、差が許容誤差ｅ03以下である場合は、許容誤差ｅ03以下になった最初の時刻ｔ32を求め、新たな時間差ｔd02 を（１２）式によって定義する（ステップＳＴ２１）。
ｔd02 ＝ｔ32−ｔ31                                  （１２）
さらに、（１２）式によって求めたｔd02 が妥当な値であるかどうかを（１３）式によって判定する（ステップＳＴ２２）。
０＜ｔd02 ＜ｔdmax                                  （１３）
ここで、ｔdmaxは放送局ａ２７がキー局と構成している放送網において発生し得る最大の入出力時間差である。ｔd02 が（１３）式を満たさない場合は、ステップＳＴ１２−１に戻って上述の処理を繰り返す。ｔd02 が（１３）式を満たす場合は、制御・処理手段６は信号蓄積手段３に入出力間時間差ｔd02 を与える（ステップＳＴ２３）。また、信号比較手段４に対しては許容誤差ｅ04を与える（ステップＳＴ２４）。
【００４０】
以下、図６を参照して説明する。
次に、Ａ／Ｄ変換器１によって放送局ａ２７の信号切替器２６の出力をデジタルデータに変換する（ステップＳＴ２５）。引き続いて、Ａ／Ｄ変換されたデジタルデータを画像メモリａ２に時系列で保存する（ステップＳＴ２６）。さらに、画像メモリａ２のデータに信号蓄積手段３によって、ｔd02 の入出力間時間差を与える（ステップＳＴ２７）。これらの処理と並行して放送波受信機８の出力をＡ／Ｄ変換器９によってデジタルデータに変換する（ステップＳＴ２８）。Ａ／Ｄ変換されたデジタルデータを画像メモリｂ１０に時系列で保存する（ステップＳＴ２９）。
【００４１】
次に、信号蓄積手段３の出力データと画像メモリｂ１０のデータを信号比較手段４に入力する（ステップＳＴ３０）。信号比較手段４は両者のデータを用いて１フレームの画面上において同一画素位置に相当するデータの比較を行い、これらの差が許容誤差ｅ04以下であるかどうかを判断する（ステップＳＴ３１）。許容誤差ｅ04を越える場合は、判定手段５は自局の放送部分が終了したものと判断し、放送内容が不一致であることを示す放送内容監視信号を出力し（ステップＳＴ３４）、状態をリセットした後、動作を停止してフローチャートをＥＮＤにする。他方、許容誤差ｅ04以下である場合は、さらに放送局ａ２７の信号切替器２６から放送中情報が出力されているかどうかを制御・処理手段６が判断する（ステップＳＴ３２）。放送中情報が出力されていない場合は、ステップＳＴ３４を実行してフローチャートをＥＮＤにする。他方、放送中情報が出力されていれば、制御・処理手段６は放送内容が一致していることを示す信号を出力し、状態を保持する（ステップＳＴ３３）。その後、ステップＳＴ２５およぴステップＳＴ２８に戻って上述の処理を繰り返す。
【００４２】
さらに、タイムチャートを用いて詳細に説明する。
図７は、本発明放送内容監視装置の動作をタイムチャートで示している。
図７において、（ａ）は放送局ａ２７の信号切替器２６の出力、（ｂ）は放送局ａ２７の信号切替器２６の放送中情報、（ｃ）は放送局ａ２７の信号切替器２６の出力、（ｄ）は画像メモリａ２のデータ取り込み時刻、（ｅ）は放送波受信機８の出力、（ｆ）は画像メモリｂ１０のデータ取り込み時刻、（ｇ）は信号蓄積手段３の入出力間時間差、（ｈ）は信号比較手段４の許容誤差、および（ｉ）は放送内容監視信号の状態をそれぞれ示している。
【００４３】
放送局ａ２７の信号切替器２６は時刻ｔonから時刻ｔoff まで、放送局ａ２７の出力を中継回線に接続する（図７（ａ）参照）。信号切替器２６の放送中情報は信号切替器２６の動作に連動しているので、中継回線への接続と同様に時刻ｔonから時刻ｔoff まで、放送中情報を放送内容監視装置に対して出力する（図７（ｂ）参照）。また、放送局ａ２７の信号切替器２６の出力は時刻ｔonから時刻ｔoff までの時間において、カット１乃至カットｎまでの変化があるものとする（図７（ｃ）参照）。画像メモリａ２と画像メモリｂ１０は時刻ｔon以降、一定の周期で、それぞれ放送局ａ２７の信号切替器２６の出力信号をＡ／Ｄ変換したデータと放送波受信機８の出力（図７（ｅ）参照）をＡ／Ｄ変換したデータの取り込みを行う（図７（ｄ），（ｆ）参照）。また、時刻ｔonにおいて信号蓄積手段３には入出力間時間差の初期値ｔd01 （図７（ｇ）参照）、信号比較手段４には許容誤差の初期値ｅ01（図７（ｈ）参照）、および画像メモリａ２のデータのフレーム間での許容誤差ｅ11が与えられる。
【００４４】
キー局２９は初め、他局の信号を番組配信回線に送出しており、放送局ａ２７からの信号のカット１の途中から切り替えを行い、カットｎの途中まで放送局ａ２７の信号を番組配信回線に送出し、その後、再び他局の信号を送出するものとする。このとき、放送波受信機の出力は時刻ｔ34まで他局の信号となっており、時刻ｔ34以降、時刻ｔ35まで放送局ａ２７の信号となり、時刻ｔ35以降は他局の信号となる。
【００４５】
時刻ｔon以降は画像メモリａ２のデータを上記の入出力間時間差ｔd01 だけ遅らせて画像メモリｂ１０のデータと比較する。そして、これらの差が許容誤差ｅ01以下であると判定した時刻ｔ30に放送内容が一致していることを示す放送内容監視信号を出力する（図７（ｉ）参照）。時刻ｔ30以降において、出力はその状態を保持する。
【００４６】
時刻ｔ30以降は、放送局ａ２７の信号切替器２６出力から放送波受信機８の出力までの正確な時間差を計測する処理に入る。まず、信号比較手段４に対して新たな許容誤差ｅ03を与える。次に、画像メモリａ２のデータのフレーム間での差が許容誤差ｅ11を越えたと判定した時刻ｔ31と、この時刻ｔ31における画像メモリａ２の１フレーム分のデータを保存する。この保存したデータとｔ31以降の放送波受信機８の出力、すなわち画像メモリｂ１０のデータとを比較し、比較の結果、これらの差が許容呉差ｅ03以下であると判定した時刻ｔ32を保存する。このようにして得られたｔ31とｔ32から、（１２）式を用いて時間差ｔd02 を求める。さらに、この数値が（１３）式を満たす場合は、ｔd02 が正確な時間差であると判定し、信号蓄積手段３にｔd02 を入出力間時間差として与える．また、信号比較手段４に対して新たな許容誤差ｅ04を与える。
【００４７】
時刻ｔ32以降は、上記の入出力間時間差ｔd02 と許容誤差ｅ04を用いて判定を行う。信号蓄積手段３の出力と画像メモリｂ１０の出力を比較し、比較結果がｅ04以下になっており、かつ信号切替器２６から放送中情報が出力されている場合、放送内容が一致していることを示す放送内容監視信号の出力状態を維持する。放送波受信機８の出力が時刻ｔ35において他局の信号に切り替わった場合、信号蓄積手段３の出力と画像メモリｂ２の出力を比較した結果は時刻ｔ33以降においてｅ04を越える。このとき、信号切替器２６から放送中情報が出力されていても、時刻ｔ33以降は放送内容が不一致であることを示す放送内容監視信号を出力する。なお、許容誤差ｅ04はキー局２９で放送局ａ２７の信号に文字などをスーパーしても放送内容が切り替わったと判定しないように、ｅ01，ｅ03よりも大きい値とする。
【００４８】
図８は、本発明放送内容監視装置を構成するための、放送局ａの信号切替器の出力信号と放送波を復調して得られる映像信号間の時間差を測定するための時間差測定回路を示している。
図８において、５０はＡ／Ｄ変換器、５１は同期分離・クロック生成回路、５２はフレームメモリａ、５３は１フレーム遅延メモリ、５４は比較器、５５は許容値ｅ11設定器、５６は１フレームメモリ、５７は比較器、５８は許容値ｅ03設定器、５９はインバータ、６０はＯＲ回路、６１はＡＮＤ回路、６２はＲＳフリップ・フロップ、６３はパルス長カウンタ、６４は判定回路、６５は許容値０，ｔdmax設定器、６６は時間差測定回路、６７はシステムクロック発生回路、６８はフレームメモリｂ、６９はＡ／Ｄ変換器、７０は同期分離・クロック生成回路、７１は放送波受信機、および７２は受信アンテナである。
【００４９】
動作について説明する。
図８において、放送局ａの信号切替器の映像出力信号は、Ａ／Ｄ変換器５０と同期分離・クロック生成回路５１に入力され、同期分離・クロック生成回路５１によって生成されたクロックに基づいて、Ａ／Ｄ変換され、フレームメモリａ５２に読み込まれる。フレームメモリａ５２は１フレーム以上の映像データの保存が可能で、システムクロック発生回路６７が供給するシステムクロックに同期してデータの読み出しを行う。
【００５０】
他方、受信アンテナ７２によって受信された放送波は放送波受信機７１によって復調され、復調された映像信号は、Ａ／Ｄ変換器６９と同期分離・クロック生成回路７０に入力され、同期分離・クロック生成回路７０によって生成されたクロックに基づいて、Ａ／Ｄ変換され、フレームメモリｂ６８に読み込まれる。フレームメモリｂ６８は上記のフレームメモリａ５２と同様に１フレーム以上の映像データの保存が可能で、システムクロック発生回路６７が供給するシステムクロックに同期してデータの読み出しを行う。
【００５１】
フレームメモリａ５２の出力データ、フレームメモリｂ６８の出力データ、システムクロック、および放送局ａの信号切替器の放送中情報は時間差測定回路６６に入力される。なお、放送局ａの信号切替器の放送中情報は放送局ａの出力が中継回線に接続されている間、ロジックＨになるものとする。
【００５２】
フレームメモリａ５２の出力は１フレーム遅延メモリ５３、比較器５４、および１フレームメモリ５６に接続されている。比較器５４には許容値ｅ11設定器５５が接続されている。比較器５４はフレームメモリａ５２の出力をフレーム間で比較し、許容値ｅ11を越えた時刻ｔ31に出力がロジックＨとなる。すなわち、放送局ａの信号切替器出力が大きく変化した時刻ｔ31を検出する。また、時刻ｔ31にフレームメモリａ５２のデータを１フレームメモリ５６に保存する。
【００５３】
１フレームメモリ５６とフレームメモリｂ６８は比較器５７に接続されている。また、比較器５７には許容値ｅ03設定器５８が接続されている。比較器５７は、時刻ｔ31において１フレームメモリ５６に保存されたデータとフレームメモリｂ６８から順次読み出されるデータとを比較し、両者の差がｅ03以下になった時刻ｔ32に出力がロジックＨとなる。すなわち、放送波を復調して得られた映像信号出力が大きく変化した時刻ｔ32を検出する。
【００５４】
放送局ａの信号切替器の放送中情報はＡＮＤ回路６１とインバータ５９に接続されており、さらにインバータ５９の出力はＯＲ回路６０を通してＲＳフリップ・フロップ６２のＲ入力に、Ｓ入力にはＡＮＤ回路６１の出力が接続されている。放送中情報がロジックＬのときは、ＲＳフリップ・フロップ６２の出力はロジックＬの状態を保ち、放送中情報がロジックＨのときは、時刻ｔ31以降ｔ32までの時間のみＲＳフリップ・フロップ６２の出力がロジックＨとなる。ＲＳフリップ・フロップ６２の出力がロジックＨとなっている時間ｔd02 をパルス長カウンタ６３を用いて計測し、判定回路６４に出力する。判定回路６４には許容値０，ｔdmax設定器６５が接続されており、パルス長カウンタ６３で計測した結果が（１３）式を満たす場合に時間差ｔdmaxのデータを出力する。このようにして、中継回線の入力、すなわち放送局ａの信号切替器の出力と放送波を復調して得られる映像信号間の時間差を測定することができる。
【００５５】
図９は、本発明放送内容監視装置の第１の実施形態をブロック図にて示している。
図９において、８０はフレームメモリｃ、８１は比較器、８２は許容誤差ｅ01，ｅ04設定器、８３は時間差ｔd01 ，ｔd02 設定器、８４はインバータ、８５はＡＮＤ回路、８６はＯＲ回路、８７は立ち上がり検出回路、８８はインバータ、８９はＯＲ回路、９０はＲＳフリップ・フロップ、９１はＡＮＤ回路、９２はシーケンス制御回路、および１２０は放送内容監視装置である。それ以外の回路要素には、図８におけると同一符号を付して示している。
【００５６】
動作について説明する。
フレームメモリａ５２の出力、フレームメモリｂ６８の出力、システムクロック、放送局ａの信号切替器の放送中情報はいずれも時間差測定回路６６に入力され、図８について説明したように、放送局ａの信号切替器の出力と放送波を復調して得られる映像信号間の時間差を測定する。また、インバータ８４、ＡＮＤ回路８５、ＯＲ回路８６、立ち上がり検出回路８７、インバータ８８、ＯＲ回路８９、ＲＳフリップ・フロップ９０、およびＡＮＤ回路９１はいずれも放送内容監視信号を出力するためのロジック回路を構成している。
【００５７】
システムクロックは時間差測定回路６６のほかに、フレームメモリａ５２、フレ−ムメモリｂ６８、フレームメモリｃ８０、時間差ｔd01 ，ｔd02 設定器８３、およびシーケンス制御回路９２にそれぞれ供給される。システムクロックに従ってフレームメモリａ５２のデータが読み出され、フレームメモリｃ８０に書き込まれる。時間差ｔd01 ，ｔd02 設定器８３は、放送局ａの信号切替器の放送中情報がロジックＨになった直後はフレームメモリｃ８０の入出力データ間で時間差がｔd01 になるように読み出しクロックを供給する。また、許容誤差ｅ01，ｅ04設定器８２は比較器８１に対して許容誤差ｅ01を設定する。フレームメモリｃ８０の出力データとフレームメモリｂ６８の出力データとを比較器８１で比較し、放送内容が一致し許容誤差ｅ01以内であると判断したときにＡ Ｎ Ｄ回路８５にロジックＨを出力する。このとき、放送局ａの信号切替器の放送中情報はロジックＨであり、比較器８１の許容誤差ｅ04以下を示す信号はロジックＬであるから、ＲＳフリップ・フロップ９０はセットされ、ＡＮＤ回路９１の出力、すなわち放送内容監視信号がロジックＬの状態からロジックＨの状態に変化し、放送内容が一致していることを示す。
【００５８】
その後は、時間差測定回路６６が時間差ｔd02 を測定し、時間差ｔd01 ，ｔd02 設定器８３に対して出力する。時間差ｔd02 の測定が終了した後は、時間差ｔd01 ，ｔd02 設定器８３はフレームメモリｃ８０の入出力データ間で時間差がｔd02 になるように読み出しクロックを供給する。また、許容誤差ｅ01，ｅ04設定器８２は比較器８１に対して許容誤差ｅ04を設定する。フレームメモリｃ８０の出力データとフレームメモリｂ６８の出力データを比軽器８１が比較し、放送内容が一致し、許容誤差ｅ04以内であると判断したときにインバータ８４およびＯＲ回路８６にロジックＨを出力する。これにより、ＲＳフリップ・フロップ９０はセット状態が維持され、放送内容監視信号はロジックＨの状態を維持する。
【００５９】
他方、フレームメモリｃ８０の出力データとフレームメモリｂ６８の出力データを比較器８１が比較し、許容誤差ｅ04を越えたと判断したときにはインバータ８４およびＯＲ回路８６への出力がロジックＨからロジックＬに変化する。インバータ８４の出力は立ち上がり検出回路８７に接続されており、これにより、ＲＳフリップ・フロップ９０をリセットし、放送内容監視信号をロジックＬの状態に変化させ、放送内容が不一致であることを出力する。
【００６０】
図１０は、本発明放送内容監視装置の第２の実施形態をブロック図にて示している。
図１０において、１００はＣＰＵ、１０１はメモリ、および１０２は入出力インターフェースである。それ以外の回路要素には、図８および図９におけると同一符号を付して示している。
【００６１】
動作について説明する。
図１０においては、放送内容監視装置１２０の主要部分をＣＰＵ１００、メモリ１０１、入出力インターフェース１０２に置き換え、ソフトウェアを用いて図９で説明した監視装置と同様の動作を実現したものである。この場合も、放送内容監視装置には放送局ａの信号切替器の出力信号、放送波、放送局ａの信号切替器の放送中情報が入力され、放送内容監視信号が出力される。
なお、本実施形態においては、ＣＰＵ１００は、例えば、高速のＤＳＰ（Digital Signal Processor）に置き換えてもよい。
【００６２】
図１１は、本発明放送内容監視装置の第３の実施形態をブロック図にて示している。
図１１において、１３０は立ち下がり検出回路、１３１は立ち上がり検出回路、１３２はインバータ、１３３はＯＲ回路、および１３４はＲＳフリップ・フロップである。それ以外の回路要素には、図８乃至図１０におけると同一符号を付して示している。
【００６３】
動作について説明する。
本実施形態は、図９，１０で説明した放送内容監視装置１２０によって放送内容が一致している、すなわち放送中であると判定したときに、機器使用中警告信号を発生するようにしたものである。
本実施形態においては、放送局ａの信号切替器の出力が中継回線に接続された時刻ｔonに信号切替器の放送中情報がロジックＬからＨに変化したことを検知してＲＳフリップ・フロップ１３４をセットし、機器使用中警告信号をロジックＬからＨに変化させ、その状態を保持する。それと同時に、放送内容監視装置１２０を起動し、放送内容監視信号を出力させる。放送局ａの放送が終了し放送内容監視装置１２０が不一致を検出すると放送内容監視信号はロジックＨからロジックＬに変化する。この変化を立ち下がり検出回路１３０で検出し、ＲＳフリップ・フロップ１３４をリセットして機器使用中警告信号をロジックＨからＬへ変化させる。
【００６４】
図１２は、本発明放送内容監視装置の第４の実施形態をブロック図にて示している。
構成要素に付した符号は、図８乃至図１１に付したのと同一の符号である。
本実施形態は、放送内容監視装置１２０によって、番組配信回線ａの出力信号と放送局ａの放送波の内容を比較・監視するものである。ここで、放送局ａの番組配信回線ａの放送中情報は、放送局ａが番組配信回線ａの出力を放送している時間に、ロジックＨになり放送内容監視装置１２０を動作させるものとする。これによって、番組配信回線ａの内容と放送波の内容が一致しているかどうかを監視することができる。
【００６５】
図１３は、本発明放送内容監視装置の第５の実施形態をブロック図にて示している。
構成要素に付した符号は、図８乃至図１１に付したのと同一の符号である。
本実施形態は、放送内容監視装置１２０によって、放送局ａの操縦装置の出力信号と放送局ａの放送波の内容を比較・監視するものである。ここで、放送局ａの操縦装置の放送中情報は、放送局ａが自局内のスタジオ、ＶＴＲなどの装置、あるいは中継車から受信した信号を放送している時間に、ロジックＨになり放送内容監視装置１２０を動作させるものとする。これによって、放送局ａが自局から放送所用中継回線に送り出している内容と自局のサービスエリア内に実施している放送波の内容が一致しているかどうかを監視することができる。
【００６６】
以上説明した本発明放送内容監視装置の第１から第５の実施形態においては、放送局ａの信号切替器の出力信号と放送波受信機７１の出力信号はいずれもアナログ信号であるとしたが、これらがデジタル信号の場合には、一例として、図１４（ａ），（ｂ）に示すように構成にすればよい。
図１４において、１１０は映像データ抽出回路、１１１はクロック再生回路、１１２はバッファメモリ、１１３は受信アンテナ、１１４は放送波受信機、１１５はクロック再生回路、１１６は映像データ抽出回路、および１１７はバッファメモリである。
【００６７】
動作について説明する。
図１４（ａ）に示すように、放送局ａから、例えば、ＳＤｌ（Serial Digital Interface）信号でデジタル映像信号とデジタル音声信号が多重化されて送られてくる場合は、クロック再生回路１１１によってクロックの再生を行い、再生したクロックに基づいて映像データ抽出回路１１０を動作させ、デジタル映像信号のみを取り出す。取り出した信号をバッファメモリ１１２に読み込ませた後、デジタル映像データとして図８乃至図１０のフレームメモリａ５２に出力する。
【００６８】
また、図１４（ｂ）に示すように、受信アンテナ１１３によって受信された放送波を放送波受信機１１４によって復調しデジタル信号を得る。そのデジタル信号からクロック再生回路１１５によってクロックを再生し、再生したクロックに基づいて映像データ抽出回路１１６を動作させ、デジタル映像信号のみを取り出す。その取り出した信号をバッファメモリ１１７に読み込ませた後、デジタル映像データとして図８乃至図１０のフレームメモリｂ６８に出力する。
また、以上は、デジタル映像信号を取り扱う場合を説明したが、デジタル音声信号に対しても同様の処理が可能であり、同様の効果が得られること勿論である。
【００６９】
次に、本発明送り返し音声生成装置について説明する。
図１５は、本発明送り返し音声生成装置の一実施形態をブロック図にて示している。
図１５において、１２１はＡ／Ｄ変換器、１２２はメモリｄ、１２３はＡ／Ｄ変換器、１２４はＡＮＤ回路、１２５は減算器、１２６はＤ／Ａ変換器、１２７は音声モニタまたはイアホン、１２８は時間差補正器、および１２９は重み付け回路である。それ以外の回路要素には、図８乃至図１０におけると同一符号を付して示している。
【００７０】
動作について説明する。
まず、本発明送り返し音声生成装置は、上述した本発明放送内容監視装置１２０を使用して構成されるものである。
図１５において、放送内容監視装置１２０には放送局ａの信号切替器の映像出力信号、放送局ａの放送波、および放送局ａの信号切替器の放送中情報が入力され、時間差ｔd02 のデータ、放送波受信機７１からの音声信号および放送内容監視信号が出力される。
【００７１】
放送局ａの信号切替器の音声出力信号はＡ／Ｄ変換器１２１によってデジタルデータに変換され、メモリｄ１２２に読み込まれる。時間差補正器１２８は放送波受信機の映像信号から得られた時間差ｔd02 と放送局ａの信号切替器の音声信号との時間差の補正を行い、メモリｄ１２２に音声信号の時間差設定を行う。放送波受信機７１から得られた音声信号はＡ／Ｄ変換器１２３によってデジタル信号に変換される。Ａ／Ｄ変換されたデジタル信号と放送内容監視信号はＡＮＤ回路１２４に入力され、放送局ａが放送中となり放送内容監視装置１２０から出力される放送内容監視信号がロジックＨの期間のみ、重み付け回路１２９によってデジタル的な音声レベル調整が行われ、減算器１２５に入力される。減算器１２５はメモリｄ１２２から上記の補正を行った時間差を与えて読み出されたデータを放送波の音声データから減算する。そして、減算出力をＤ／Ａ変換器１２６によってアナログ信号に変換することによって、音声モニタまたはイアホン１２７から放送局ａからの音声倍号を取り除いた音声を出力する。
【００７２】
以上説明した送り返し音声生成装置によって、いわゆるＮ−１の送り返し音声を生成することができる。図１５において、メモリｄ１２２、時間差補正器１２８、ＡＮＤ回路１２４、重み付け回路１２９、および減算器１２５は図１０のようにＣ Ｐ Ｕ、入出力インターフェース、メモリの組み合わせで置き換えられることは言うまでもない。また、この装置は中継車を使って局外から中継を行う際にも適用可能である。この場合は、放送局ａの信号切替器の音声出力信号に代えて中継車の音声信号を使用し、放送局ａの信号切替器の放送中情報に代えてロジックＨの信号を、中継車の信号が伝送されている時間、入力することで同じ効果が得られる。
【００７３】
以上説明した本発明送り返し音声生成装置の一実施形態においては、放送局ａの信号切替器の出力信号と放送波受信機７１の出力信号はいずれもアナログ信号であるとしたが、これらがデジタル信号の場合には、一例として、図１６（ａ），（ｂ）に示すように構成にすればよい。
図１６において、１４０は音声データ抽出回路、１４１はクロック再生回路、１４２はバッファメモリ、１４３は音声データ抽出回路、１４４はクロック再生回路、および１４５はバッファメモリである。それ以外の回路要素には、図１４におけると同一符号を付して示している。
【００７４】
動作につき説明する。
図１６（ａ）に示すように、放送局ａのデジタル信号出力からクロック再生回路１４１によってクロックの再生を行い、再生したクロックに基づき音声データ抽出回路１４０を動作させ、デジタル音声信号のみを取り出す。その取り出した信号をバッファメモリ１４２に読み込ませた後、デジタル音声データとして図１５のメモリｄ１２２に出力する。
【００７５】
また、図１６（ｂ）に示すように、受信アンテナ１１３によつて受信した放送波を放送波受信機１１４によって復調しデジタル信号を得る。そのデジタル信号からクロック再生回路１１５によってクロックを再生し、再生したクロックに基づいて映像データ抽出回路１１６を動作させ、デジタル映像信号のみを取り出す。その取り出した信号をバッファメモリ１１７に読み込ませた後、デジタル映像データとして図１５の放送内容監視装置１２０内のフレームメモリ（図示せず）に出力する。
【００７６】
他方、音声データはクロック再生回路１４４によってクロックを再生し、再生したクロックに基づいて音声データ抽出回路１４３を動作させ、デジタル音声信号のみを取り出す。その取り出した信号をバッファメモリ１４５に読み込ませた後、デジタル音声データとして図１５のＡＮＤ回路１２４に出力する。
【００７７】
以上説明したように、本発明放送内容監視装置によれば、自局の信号切替器の出力、同じく自局の信号切替器の放送中情報、および自局の放送波を本発明装置に入力することにより、例えば、特殊な制御信号を放送波に重畳したりしないでも、自局の信号が放送波に出ている間は放送内容の監視を行うことが可能となる。
【００７８】
なお、信号蓄積手段３（図１参照）に与える入出力間時間差の初期値ｔd01 は上記のｔd02 に近い値であれば極めて良好な動作が得られるが、ｔd01 ＝０としても良好な動作が得られること勿論である。また、予め放送網全体の入出力間時間差、すなわち、上述の（１０）式のｔd10 が分かっていれば、ｔd01 ，ｔd02 の代わりにｔd10 を用いることで良好な動作が得られることは言うまでもない。あるいは、図３のステップＳＴ１２−１で求めたｔd01の値が０＜ｔd01 ＜ｔdmaxを満たせば、このｔd01をｔd02の代わりに使用することが可能である。ここで、ｔdmaxは、(１３）式に示したものと同一である。この場合、ステップＳＴ１３乃至ステップＳＴ２１（図４、図５参照）を省略できることはいうまでもない。
【００７９】
さらに、自局の信号を周期ｔ50で画像メモリａ２（図１参照）に取り込み、その後、自局の放送波受信機の出力を１フレームごと、画像メモリｂ１０（図１参照）に取り込んで比較し、両者の差が信号比較手段４（図１参照）の許容値ｅ01以下になるときの時間差を用いてもよい。また、自局の信号切替器の出力信号はスタジオの出力のみならず、例えば、ＶＴＲ、静止画装置、自局で受信した中継車の信号でもよい。
【００８０】
また、キー局を介した全国放送を実施する場合の他に、自局のサービスエリアのみに対して、例えば、スタジオの出力・ＶＴＲ、静止画装置、自局で受信した中継車の信号を放送する場合は、信号切替器２６の出力を操縦装置に直接入力し、次に、放送所用中継回線を介して放送所に信号を伝送して放送波を送信することになる。このような場合においても、本発明は適用可能であること勿論である。
【００８１】
また、中継回線、番組配信回線は、一般的な地上マイクロ波回線、通信衛星回線、光ファイバ回線を用いたいずれの場合にも本発明を適用することができる。さらに、キー局、番組配信回線、操縦装置、放送所用中継回線、放送所、送信アンテナの組み合わせに代えて、キー局から直接放送衛星、または通信衛星に信号を送り、放送波を各家庭に送る放送形態の場合も本発明が適用可能であること勿論である。
【００８２】
以上の説明においては、本発明放送内容監視装置を構成するのに、映像信号を例に行ったが、音声信号に対しても同様の処理が可能であり、同様の効果が得られることは言うまでもない。
【００８３】
また、本発明放送内容監視装置を用いて、例えば、中継車において送り返し音声を得るためには、中継車の音声出力に対して入出力間時間差ｔd02 を与え、放送波受信機から得られる音声信号から減じることによって実現される。
【００８４】
また、以上の説明では、信号比較手段は入力された２つのデータの差を時間領域において演算し許容誤差との比較を行ったが、これは、例えば、ＤＦＴ（Discrete Fourier Transform） 演算を行って周波数領域での比較、相関係数を演算して行う比較、あるいは、これら複数の方法を組み合わせても同様に２つのデータの比較が行えることは言うまでもない。また、１画素ごとの比較、演算のみならず、１フレーム内に含まれるすべての画素を、複数の画素から構成される複数のブロックにまとめ、そのブロック内で、例えば、輝度信号、色差信号などの平均値、中央値、標準偏差などを演算し、他のフレームのブロックと比較、演算を行う方法が適用可能であること勿論である。さらにまた、信号比較手段は、２つの入力データを１フレームで許容誤差との比較を行い比較結果を出力する方法もあるが、許容誤差との比較を複数のフレームで行い、比較精度を上げることも勿論可能である。
【００８５】
【発明の効果】
本発明によれば、中継回線の入力と放送波を復調して得られる映像信号との時間差を特殊な信号を使用することなく、自局の放送中に測定することが可能となる。
さらに、自局から送り出している信号を測定された時間差だけ遅らせて放送波を復調して得られる信号と比較し、放送内容が一致しているかどうかの監視が可能となる。
【００８６】
また、放送内容の監視に用いる入力信号を適宜選択することにより、番組配信回線に送られてくる信号を放送している場合、あるいは、例えば、中継車から信号を送り出して放送している場合にも同様の監視が可能となる。
また、上記の時間差の測定値と自局の機器から中継回線に信号を送り出している状態を示す情報から、当該機器が使用中であることを警告する情報を発することが可能となり、自局の放送が終了するまで不用意に機器を停止させたりする誤操作を防ぐことができる。これにより、運用する側の負担を減らすことができるとともに、受信者にとって良質な放送サービスを提供することが可能となる。
【００８７】
さらに、自局または、例えば、中継車が送り出している音声信号に上記の時間差を与えた信号を、放送波を復調して得られる音声信号から減じることによって、自局または、例えば、中継車の音声を除去した送り返し音声を得ることが可能となる。
【図面の簡単な説明】
【図１】  本発明放送内容監視装置の原理構成をブロック図にて示している。
【図２】  本発明放送内容監視装置の動作をフローチャートで示している。
【図３】  本発明放送内容監視装置の動作をフローチャートで示している。
【図４】  本発明放送内容監視装置の動作をフローチャートで示している。
【図５】  本発明放送内容監視装置の動作をフローチャートで示している。
【図６】  本発明放送内容監視装置の動作をフローチャートで示している。
【図７】  本発明放送内容監視装置の動作をタイムチャートで示している。
【図８】  本発明放送内容監視装置を構成するための、放送局ａの信号切替器の出力信号と放送波を復調して得られる映像信号間の時間差を測定するための時間差測定回路を示している。
【図９】  本発明放送内容監視装置の第１の実施形態をブロック図にて示している。
【図１０】  本発明放送内容監視装置の第２の実施形態をブロック図にて示している。
【図１１】  本発明放送内容監視装置の第３の実施形態をブロック図にて示している。
【図１２】  本発明放送内容監視装置の第４の実施形態をブロック図にて示している。
【図１３】 本発明放送内容監視装置の第５の実施形態をブロック図にて示している。
【図１４】  放送局ａの信号切替器の出力信号と放送波受信機の出力信号がデジタル信号の場合の本発明放送内容監視装置の一構成例を示している。
【図１５】  本発明送り返し音声生成装置の一実施形態をブロック図にて示している。
【図１６】  放送局ａの信号切替器の出力信号と放送波受信機の出力信号がデジタル信号の場合の本発明送り返し音声生成装置の一構成例を示している。
【図１７】  従来技術における自局放送の開始、終了を確認する方法を概念的に示している。
【図１８】  信号それぞれについて、あるいは表示灯や局内モニタの動作するタイミングを示している。
【符号の説明】
１，９ Ａ／Ｄ変換器
２ 画像メモリａ
３ 信号蓄積手段
４ 信号比較手段
５ 判定手段
６ 制御・処理手段
７ 受信アンテナ
８ 放送波受信機
１０ 画像メモリｂ
２０ ＶＴＲ
２１ 放送中表示灯ａ
２２ 静止画装置
２３ 放送中表示灯ｂ
２４ スタジオ
２５ 放送中表示灯ｃ
２６ 信号切換器
２７ 放送局ａ
２８ 中継回線
２９ キー局
３０ 番組配線回線ａ
３１ 操縦装置
３２ 放送所用中継回線
３３ 放送所
３４ 送信アンテナ
３５ 受信アンテナ
３６ 放送波受信機
３７ 局内モニタ
３８ 番組配線回線ｂ
３９ 放送局ｂ
４０ 番組配信回線ｃ
４１ 放送局ｃ
５０，６９ Ａ／Ｄ変換器
５１，７０ 同期分離・クロック生成回路
５２ フレームメモリａ
５３ １フレーム遅延メモリ
５４，５７ 比較器
５５ 許容値ｅ11設定器
５６ １フレームメモリ
５８ 許容値ｅ03設定器
５９ インバータ
６０ ＯＲ回路
６１ ＡＮＤ回路
６２ ＲＳフリップ・フロップ
６３ パルス長カウンタ
６４ 判定回路
６５ 許容値０，ｔdmax設定器
６６ 時間差測定回路
６７ システムクロック発生回路
６８ フレームメモリｂ
７１ 放送波受信機
７２ 受信アンテナ
８０ フレームメモリｃ
８１ 比較器
８２ 許容誤差ｅ01，ｅ04設定器
８３ 時間差ｔd01 ，ｔd02 設定器
８４，８８ インバータ
８５，９１ ＡＮＤ回路
８６，８９ ＯＲ回路
８７ 立ち上がり検出回路
９０ ＲＳフリップ・フロップ
９２ シーケンス制御回路
１００ ＣＰＵ
１０１ メモリ
１０２ 入出力インターフェース
１１０，１１６ 映像データ抽出回路
１１１，１１５ クロック再生回路
１１２，１１７ バッファメモリ
１１３ 受信アンテナ
１１４ 放送波受信機
１２０ 放送内容監視装置
１２１，１２３ Ａ／Ｄ変換器
１２２ メモリｄ
１２４ ＡＮＤ回路
１２５ 減算器
１２６ Ｄ／Ａ変換器
１２７ 音声モニタまたはイアホン
１２８ 時間差補正器
１２９ 重み付け回路
１３０ 立ち下がり検出回路
１３１ 立ち上がり検出回路
１３２ インバータ
１３３ ＯＲ回路
１３４ ＲＳフリップ・フロップ
１４０ 音声データ抽出回路
１４１，１４４ クロック再生回路
１４２，１４５ バッファメモリ
１４３ 音声データ抽出回路
【図１】
0003992537.tif 000002
【図２】
0003992537.tif 000003
【図３】
0003992537.tif 000004
【図４】
0003992537.tif 000005
【図５】
0003992537.tif 000006
【図６】
0003992537.tif 000007
【図７】
0003992537.tif 000008
【図８】
0003992537.tif 000009
【図９】
0003992537.tif 000010
【図１０】
0003992537.tif 000011
【図１１】
0003992537.tif 000012
【図１２】
0003992537.tif 000013
【図１３】
0003992537.tif 000014
【図１４】
0003992537.tif 000015
【図１５】
0003992537.tif 000016
【図１６】
0003992537.tif 000017
【図１７】
0003992537.tif 000018
【図１８】
0003992537.tif 000019